(57)【要約】【課題】  電子部品からの発熱を、専用の放熱空間を用意する事なく、放熱を行う撮像装置の構成を提供する。【解決手段】  同一方向でかつ隣接する複数の円筒形の電池と回路基板によって生じる空間に隣接して、電圧が印加されると発熱する電子部品を配置することにより、専用の放熱空間を設ける事なく小型化を可能にする。【選択図】  図１
2009027354.tif 000002
【特許請求の範囲】
【請求項１】
電圧が印加されると発熱する電子部品が実装された回路基板と、同一方向でかつ近接する少なくとも２つ以上の円筒形の電池を収納する電池収納部を有する撮像装置において、電圧が印加されると発熱する電子部品を、複数の電池と回路基板によって生じる空間に配置する撮像装置。
【請求項２】
撮像素子から得られたアナログ信号をデジタル信号に変換する変換素子が実装された回路基板と、同一方向でかつ近接する少なくとも２つ以上の円筒形の電池を収納する電池収納部を有する撮像装置において、変換素子を複数の電池と回路基板によって生じる空間に配置する撮像装置。
【請求項３】
デジタル信号を変換する演算処理を行う画像処理用半導体素子が実装された回路基板と、同一方向でかつ近接する少なくとも２つ以上の円筒形の電池を収納する電池収納部を有する撮像装置において、変換素子を複数の電池と回路基板によって生じる空間に配置する撮像装置。
【請求項４】
請求項１記載の撮像装置において、電圧が印加されると発熱する電子部品を、複数の円筒形電池と回路基板によって生じる空間のほぼ中央に配置する撮像装置。
【請求項５】
請求項１記載の撮像装置において、複数の円筒形電池がほぼ鉛直方向に配置され、電圧が印加されると発熱する電子部品を、複数の円筒形電池と回路基板によって生じる空間の下方に配置する撮像装置。
【発明の詳細な説明】
【技術分野】
【０００１】
本発明は、撮像装置に関するものである。
【背景技術】
【０００２】
近年、撮像装置の普及に伴い、本体の高性能化と小型化が進んできている。高性能化の一つの要素として高画素化がある。また、小型化として内部のメカ機構の省スペース化や、電子部品の高密度実装や、電子部品自身の高密度化が行われている。
【０００３】
高画素化に伴い、撮像素子から得られたアナログ信号をデジタル信号に変換するＡＦＥや、デジタル信号をユーザが求める最適な状態に変換する演算処理を行う画像処理用半導体素子を含む素子は、高画素化に伴い処理回数が増大している。そして、これらの素子は高速処理を行う為に高周波で稼動させるが、１画素を処理する為の最低限の電荷は殆ど減少していないため、発熱量は増加する傾向にある。一方、小型化に伴い、内部の放熱空間は少なくなる傾向にあり、内部空間に放熱しきれずに、蓄積された熱により内部の素子等にダメージを与えてしまうことがある。また、内部の熱が撮像装置の外観部に移動することによって、本体表面温度がユーザーの使用時に不快に感じる温度になっているとの指摘を受けている。
【０００４】
この問題を解決する手段として、電圧が印加されると発熱する電子部品を電池に接近させ、熱を一旦、電池に放熱し、電池と発熱部品が接する面と反対側の面に、電池に蓄えられた熱の放熱空間を有する構造がある。（特許文献１参照）
【特許文献１】特開２００６−９８５０６
【発明の開示】
【発明が解決しようとする課題】
【０００５】
しかしながら、上記従来例では、電池を挟んで発熱素子と相対する場所に放熱を行う為の空間を設ける必要があり、製品の小型化という要素に反する事になる。
【０００６】
本発明はこのような問題点を考慮されて成されたものであって、複数の電池と回路基板によって生じる空間に、電圧が印加されると発熱する電子部品を配置することにより、専用の放熱空間を設ける事なく小型化を行うことを目的としている。
【課題を解決するための手段】
【０００７】
上記目的を達成する為に、請求項１に記載の撮像装置において、電圧が印加されると発熱する電子部品が実装された回路基板と、同一方向でかつ近接する少なくとも２本以上の円筒形の電池を収納する電池収納部を有する撮像装置において、電圧が印加されると発熱する電子部品を、複数の電池と回路基板によって生じる空間に配置する。
【発明の効果】
【０００８】
本発明によって、複数の円筒形の電池と回路基板によって生じる空間に、電圧が印加されると発熱する電子部品を配置することにより、専用の放熱空間を設ける事なく小型化可能となる。
【発明を実施するための最良の形態】
【０００９】
本発明による放熱構造を用いた撮像装置の例として実施の形態を図１から図３を用いて示す。
【００１０】
図１は図２にて示す断面線によって切断された断面図である。図２ならびに図３は本発明を満たす撮像装置の例を示す斜視図である。本実施例では電圧が印加されると発熱する電子部品を有する撮像装置に関するものである。
【００１１】
撮像装置１の前面部にはストロボ２、レンズ３、ファインダー４が配置されている。撮像装置１の底面側には電池１０を挿入ならびに取り出しを行う電池蓋５が配置されている。
【００１２】
本発明の電圧を印加すると発熱する電子部品の配置の一例を図１にて説明する。
円筒形の電池１０は電池収納部１４内に、複数本をほぼ平行に配置するように作成されている。電池収納部１４は、電子部品が実装された回路基板と、同一方向でかつ近接する少なくとも２つ以上の円筒形の電池を収納する。
【００１３】
電池１０を電池収納室１４に装填すると、電池１０と電池１０の間に円筒形電池の外形をオフセットされた２辺と、電池の直径とほぼ同じ幅を持つ辺のあわせて少なくとも３辺で構成される面で、電池の長手方向とほぼ同じ長さの奥行きを有する空間１３が発生する。
【００１４】
回路基板１１は、２つの円筒形の電池１０によって形成される面とほぼ平行でかつ、その面と積層的になるように配置されている。回路基板１１上には空間１３に近接する面側でかつ、空間１３のほぼ中央に撮像素子から得られたアナログ信号をデジタル信号に変換する変換素子や画像処理用半導体素子を含む電子部品１２が実装されている。
【００１５】
撮像装置使用時に、アナログ信号をデジタル信号に変換する処理や、デジタル信号の演算処理を行うと、電子部品１２は熱を発生する。空間１３のほぼ中央部に電子部品１２が配置されることにより、電子部品１２から発熱される熱は近接する空間１３に効率的に放熱される。また、撮像装置の外観面から比較的遠い位置に配置されることになるため、撮像装置の外観面に内部の熱が伝わりにくい配置となる。
【００１６】
空間１３に一次放熱された熱は空間１３の近傍にある電池収納部１４ならびに電池１０と複数の電池１０の配置によって生じる電池収納部１４内の空間１５に遷移することにより空間１３の蓄熱量を下げる。
【００１７】
また、複数の電池１０の長手方向が撮像装置に対して鉛直方向に配置する構造の際には、空間１３のほぼ下方に電子部品１２が配置される。このことにより、電子部品１２から発熱される熱は近接する空間１３の上に移動しながら効率的に放熱され、電池収納部１４ならびに電池１０と複数の電池１０の配置によって生じる電池収納部１４内の空間１５に遷移する。したがって、空間１３の蓄熱量は下げられる。
【００１８】
本実施例では発熱する電子部品１２を１つだけ空間１３に配置したが、本発明を用いて配置を行う電子部品は１つに限定するものではない。また、用いる電池の数や配置によっては空間１３は複数発生することになるが、この場合、どの空間に発熱を行っても本発明の効果を得ることが可能である。
【図面の簡単な説明】
【００１９】
【図１】本発明の実施例に係る電池部品の配置を示す断面図である
【図２】本発明の実施例に係る撮像装置の斜視図（正面側）である
【図３】本発明の実施例に係る撮像装置の斜視図（底面側）である
【符号の説明】
【００２０】
１  撮像装置
２  ストロボ
３  レンズ
４  ファインダー
５  レリーズ
６  電池蓋
１０  電池
１１  回路基板
１２  ＡＦＥまたは画像エンジンを含む電子部品
１３  空間
１４  電池収納部
１５  電池収納部内の空間
【図１】
2009027354.tif 000003
【図２】
2009027354.tif 000004
【図３】
2009027354.tif 000005